(57)【要約】【課題】  単一のディスクに２つの規格に従ったデータを有するディスクを作成するためには、それぞれの規格用のオーサリングシステムで別々に制作作業を行う必要がある。【解決手段】  ２つの規格を有するディスク制作であっても、映像音響素材やこれらの素材を再生するためのシナリオデータの入力は、何れかの規格に適合したもののみ入力し、映像、音響素材、およびシナリオデータを必要に応じて、記録メディア上に作成する第２の記録フォーマットに適合するように自動変換する入力データ変換部と、第２の記録フォーマットに対応したデータを第１の記録フォーマットに対応したデータに統合する統合データ作成部とを設けることにより、単一の規格のディスクを制作するのとほぼ同じ作業内容で２つの規格を有するディスクを制作できるマルチメディアコンテンツデータ作成方法および作成装置を提供する。【選択図】  図１ 
2005085391.tif 000002
【特許請求の範囲】
【請求項１】
単一の記録メディアに相異なる複数の記録フォーマットに適合したマルチメディアコンテンツデータを作成する方法であって、
映像素材を入力する映像素材入力ステップと、
音響素材を入力する音響素材入力ステップと、
メニュー素材を入力するメニュー素材入力ステップと、
前記映像素材、前記音響素材、および前記メニュー素材の再生に関するシナリオデータを入力するシナリオデータ入力ステップと、
第１の記録フォーマットに対応したデータを作成する第１データフォーマットステップと、
前記第１の記録フォーマットと異なる第２の記録フォーマットに対応したデータを作成する第２データフォーマットステップと、
前記映像素材入力ステップ、前記響素材入力ステップ、前記メニュー素材入力ステップ、および前記シナリオデータ入力ステップによるそれぞれの出力データを、必要に応じて前記第２の記録フォーマットに適合するように自動変換する入力データ変換ステップと、
前記第１データフォーマットステップおよび前記第２データフォーマットステップによる出力データを入力し、前記第２の記録フォーマットに対応したデータを前記第１の記録フォーマットに対応したデータに統合することによって単一の記録メディアに記録できるようにする統合データ作成ステップとを含む、マルチメディアコンテンツデータ作成方法。
【請求項２】
前記入力データ変換ステップは、
前記映像素材入力ステップ、前記音響素材入力ステップ、前記メニュー素材入力ステップ、および前記シナリオデータ入力ステップによるそれぞれの出力データに対して、前記第２の記録フォーマットに適合させるための変換仕様について記憶した変換テーブル蓄積ステップと、
前記映像素材入力ステップで入力された映像素材の属性を変換する映像素材変換ステップと、
前記音響素材入力ステップで入力された音響素材の属性を変換する音響素材変換ステップと、
前記メニュー素材入力ステップで入力されたメニュー素材の属性を変換するメニュー素材変換ステップと、
前記シナリオデータ入力ステップで入力されたシナリオデータを変換するシナリオデータ変換ステップとを含む、請求項１に記載のマルチメディアコンテンツデータ作成方法。
【請求項３】
前記音響素材変換ステップは、音響データのサンプリング周波数の変換、量子化ビット数の変換、チャンネル数の変換、および圧縮符号化の少なくとも１つの手法により音響データの属性を変換する、請求項２に記載のマルチメディアコンテンツデータ作成方法。
【請求項４】
単一の記録メディアに相異なる複数の記録フォーマットに適合したマルチメディアコンテンツデータを作成する作成装置であって、
映像素材を入力する映像素材入力部と、
音響素材を入力する音響素材入力部と、
メニュー素材を入力するメニュー素材入力部と、
前記映像素材、前記音響素材、および前記メニュー素材の再生に関するシナリオデータを入力するシナリオデータ入力部と、
第１の記録フォーマットに対応したデータを作成する第１データフォーマット部と、
前記第１の記録フォーマットと異なる第２の記録フォーマットに対応したデータを作成する第２データフォーマット部と、
前記映像素材入力部、前記響素材入力部、前記メニュー素材入力部、および前記シナリオデータ入力部のそれぞれの出力データを、必要に応じて前記第２の記録フォーマットに適合するように自動変換する入力データ変換部と、
前記第１データフォーマット部および前記第２データフォーマット部の出力データを入力し、前記第２の記録フォーマットに対応したデータを前記第１の記録フォーマットに対応したデータに統合するこよによって単一の記録メディアに記録できるようにする統合データ作成部とを備えた、マルチメディアコンテンツデータ作成装置。
【請求項５】
前記入力データ変換部は、
前記映像素材入力部、前記音響素材入力部、前記メニュー素材入力部、および前記シナリオデータ入力部のそれぞれの出力データに対して、前記第２の記録フォーマットに適合させるための変換仕様について記憶した変換テーブル蓄積部と、
前記映像素材入力部に入力された映像素材の属性を変換する映像素材変換部と、
前記音響素材入力部に入力された音響素材の属性を変換する音響素材変換部と、
前記メニュー素材入力部に入力されたメニュー素材の属性を変換するメニュー素材変換部と、
前記シナリオデータ入力部に入力されたシナリオデータを変換するシナリオデータ変換部とを含む、請求項４に記載のマルチメディアコンテンツデータ作成装置。
【請求項６】
前記音響素材変換部は、音響データのサンプリング周波数の変換、量子化ビット数の変換、チャンネル数の変換、および圧縮符号化の少なくとも１つの手法により音響データの属性を変換する、請求項５に記載のマルチメディアコンテンツデータ作成装置。
【発明の詳細な説明】
【技術分野】
【０００１】
本発明は、単一の記録メディアに２つの異なる規格に従ったデータを含むマルチメディアコンテンツの効率的な作成方法および作成装置に関する。
【背景技術】
【０００２】
単一の記録メディアに２つの異なる規格に従ったデータを記録すれば、何れかの規格に対応しているプレーヤで再生することができるため、その記録メディアは再生できるプレーヤの数が多くなる点において付加価値の高いものとなる。一般に、２つの異なる規格に従ったデータを作成するためには、それぞれの規格用のオーサリングシステムを起動し、別々に制作作業を行う必要がある。その結果、単一規格のデータを制作するよりも作業工数が増えるため制作コストは高くなる。また、場合によっては、映像や音響素材をそれぞれの規格の仕様に適合したものを別途用意する必要があるため、その場合はさらに制作コストは高くなる。
【０００３】
そこで、このような作業や素材データの重複をさけるために、２つの異なる規格の何れか一方の規格に従ったデータから他方の規格に従ったデータを自動的にフォーマット変換して作成することが考えられる。このような従来のマルチメディアコンテンツデータの作成方法としては、ＤＶＤ−ＶＲ規格のコンテンツデータからＤＶＤ−Ｖｉｄｅｏ規格のコンテンツデータをフォーマット変換して作成するものがあった（例えば、特許文献１参照）。図３は、上記特許文献１に記載された従来の効率的なマルチメディアコンテンツデータの作成方法を示すものである。
【０００４】
図３においては、ハードディスクドライブ６００上にＤＶＤ−ＶＲフォーマットで記録された情報をＤＶＤ−ＶＲ方式デコーダ８００でデコードし、デコード信号をフォーマット変換部９００でＤＶＤ−Ｖｉｄｅｏフォーマットの情報に変換するのに先立ち、マイクロコンピュータ部１０００により上記デコード信号のパラメータの変化を検出し、パラメータの変化後に続くデコード信号を、ＤＶＤ−Ｖｉｄｅｏフォーマットの情報の新たなタイトルとして管理する管理情報を作成してフォーマット変換部９００に出力する。その後、上記デコード信号と上記管理情報とを合わせてＤＶＤ−Ｖｉｄｅｏフォーマットのコンテンツデータを作成し、光ディスクドライブ７００を介して光ディスクに記録する。
【０００５】
以上の処理によって、ＤＶＤ−ＶＲ規格からＤＶＤ−Ｖｉｄｅｏ規格のデータを作成する際に、制作者の操作を必要とすることなくストリーム仕様に関して両規格の間で異なる制約事項を自動的に補正してＶｉｄｅｏ規格の管理情報データを作成することが可能となるので、効率的にＤＶＤ−Ｖｉｄｅｏ規格のコンテンツデータを作成していた。
【特許文献１】特開２００３−１５３１７０号公報（第１頁、図１）
【発明の開示】
【発明が解決しようとする課題】
【０００６】
しかしながら上述した従来の構成は、予めＤＶＤ−ＶＲ規格のコンテンツデータが作成されていることが前提であり、かつそのコンテンツデータと同じ内容のＤＶＤ−Ｖｉｄｅｏ規格のコンテンツデータを作成するものであるため、映像や音響素材の再生方法やメニュー構成等のコンテンツ再生のためのシナリオデータをコンテンツ制作者が任意に作成するための構成は含まれていない。
【０００７】
また、データフォーマット変換後に記録メディアに作成されるコンテンツデータの内容は、ＤＶＤ−Ｖｉｄｅｏ規格のコンテンツデータのみであるため、例えばＤＶＤ−ＶＲ規格およびＤＶＤ−Ｖｉｄｅｏ規格のコンテンツデータを同じ記録メディアに記録するための構成も備えていないという課題を有している。
【０００８】
それ故に、本発明の目的は、上記従来の課題を解決するもので、２つの規格を単一の記録メディアに有するコンテンツデータを任意の映像素材と音響素材と再生シナリオとに基づいて、単一規格のコンテンツデータを制作するのとほぼ同じ作業内容で効率的に制作できるマルチメディアコンテンツデータ作成方法および作成装置を提供することである。
【課題を解決するための手段】
【０００９】
本発明のマルチメディアコンテンツデータ作成方法は、単一の記録メディアに相異なる複数の記録フォーマットに適合したマルチメディアコンテンツデータを作成する方法である。
マルチメディアコンテンツデータ作成方法は、映像素材入力ステップ、音響素材入力ステップ、メニュー素材入力ステップ、シナリオデータ入力ステップ、第１データフォーマットステップ、第２データフォーマットステップ、入力データ変換ステップ、および統合データ作成ステップを含む。映像素材入力ステップは、映像素材を入力する。音響素材入力ステップは、音響素材を入力する。メニュー素材入力ステップは、メニュー素材を入力する。シナリオデータ入力ステップは、映像素材、音響素材、およびメニュー素材の再生に関するシナリオデータを入力する。第１データフォーマットステップは、第１の記録フォーマットに対応したデータを作成する。第２データフォーマットステップは、第１の記録フォーマットと異なる第２の記録フォーマットに対応したデータを作成する。入力データ変換ステップは、映像素材入力ステップ、響素材入力ステップ、メニュー素材入力ステップ、およびシナリオデータ入力ステップによるそれぞれの出力データを、必要に応じて第２の記録フォーマットに適合するように自動変換する。統合データ作成ステップは、第１データフォーマットステップおよび第２データフォーマットステップによる出力データを入力し、第２の記録フォーマットに対応したデータを第１の記録フォーマットに対応したデータに統合することによって単一の記録メディアに記録できるようにする。
【００１０】
本発明のマルチメディアコンテンツデータ作成装置は、単一の記録メディアに相異なる複数の記録フォーマットに適合したマルチメディアコンテンツデータを作成する作成装置である。マルチメディアコンテンツデータ作成装置は、映像素材入力部、音響素材入力部、メニュー素材入力部、シナリオデータ入力部、第１データフォーマット部、第２データフォーマット部、入力データ変換部、および統合データ作成部を備える。映像素材入力部は、映像素材を入力する。音響素材入力部は、音響素材を入力する。メニュー素材入力部は、メニュー素材を入力する。シナリオデータ入力部は、映像素材、音響素材、およびメニュー素材の再生に関するシナリオデータを入力する。第１データフォーマット部は、第１の記録フォーマットに対応したデータを作成する。第２データフォーマット部は、第１の記録フォーマットと異なる第２の記録フォーマットに対応したデータを作成する。入力データ変換部は、映像素材入力部、響素材入力部、メニュー素材入力部、およびシナリオデータ入力部のそれぞれの出力データを、必要に応じて前記第２の記録フォーマットに適合するように自動変換する。統合データ作成部は、第１データフォーマット部および第２データフォーマット部の出力データを入力し、第２の記録フォーマットに対応したデータを第１の記録フォーマットに対応したデータに統合するこよによって単一の記録メディアに記録できるようにする。
【発明の効果】
【００１１】
本発明のマルチメディアコンテンツデータ作成方法及び作成装置によれば、映像、音響素材、およびシナリオデータを、必要に応じて第２の記録フォーマットに適合するように自動変換し、さらに第２の記録フォーマットのデータを第１の記録フォーマットのデータに自動的に統合することが可能となるため、オーサリング作業工数が大幅に軽減され、さらに記録フォーマット毎に映像及び音響素材を用意する必要もなくなる。つまり、オーサリング作業と映像および音響素材の準備とは、単一規格ディスクの制作とほぼ同じ作業内容でよいので、制作側に負担をかけることなく２つの規格を１つの記録メディアに有するマルチメディアコンテンツデータを簡単に制作することができる。
【発明を実施するための最良の形態】
【００１２】
以下本発明の実施の形態について、図面を参照しながら説明する。図１は、本発明の一実施形態に係るマルチメディアコンテンツデータ作成装置のブロック図である。
【００１３】
図１において、マルチメディアコンテンツデータ作成装置は、映像素材入力部１０１、音響素材入力部１０２、メニュー素材入力部１０３、シナリオデータ入力部１０４、および入力データ変換部２００を備えている。入力データ変換部２００は、映像素材入力部１０１、音響素材入力部１０２、メニュー素材入力部１０３、およびシナリオデータ入力部１０４の出力データを、必要に応じて第２のフォーマットに適合するように変換するために、映像素材変換部２０１、音響素材変換部２０２、メニュー素材変換部２０３、シナリオデータ変換部２０４、および変換テーブル蓄積部２０５を含んでいる。また、マルチメディアコンテンツデータ作成装置は、第１データフォーマット部３００、第２データフォーマット部４００、および第１データフォーマット部３００および第２データフォーマット部４００の出力データを統合し単一の記録メディアに記録するためのデータを作成する統合データ作成部５００を備えている。
【００１４】
以上で構成されるマルチメディアコンテンツデータ作成装置は、汎用的なＰＣのハードウエア構成要素および汎用的なＯＳ上で動作するアプリケーションソフトウエアで実現できるものとする。
【００１５】
図２は、本実施形態に係るマルチメディアコンテンツデータ作成装置を実現する汎用的なＰＣの構成を示す略図である。以下の説明におけるデータの入力や素材データの指定、処理結果の表示は、キーボード１１０やマウス１１１を用いてディスプレイ１１２上のＧＵＩ１１３に表示し、各種素材データや作成されるコンテンツデータは、ＰＣに内蔵されるハードディスク１１４等の大容量記録メディアに蓄積されるものとする。さらに、データのフォーマット処理や転送処理は、ＰＣのＣＰＵで動作する処理ソフトウエアが内部メモリや内部データバスを利用して行うものとする。
【００１６】
また、これより説明する実施形態においては、第１データフォーマット部３００はＤＶＤ−Ａｕｄｉｏ規格に適合するデータを、第２データフォーマット部４００はＤＶＤ−Ｖｉｄｅｏ規格に適合するデータを作成するものとする。
【００１７】
まず最初に、シナリオデータ入力部１０４においてこれから制作するＤＶＤ−Ａｕｄｉｏディスクの再生曲の内容やメニュー構成などＤＶＤ−Ａｕｄｉｏディスクのシナリオに相当するデータを入力する。シナリオデータの入力は、マルチメディアコンテンツデータ作成装置を構成するＰＣのディスプレイ１１２上に表示されるシナリオ入力のためのＧＵＩ１１３よりなされるものとする。図２に示すシナリオ入力のためのＧＵＩ１１３においては、メニューとＴｒａｃｋ０１〜Ｔｒａｃｋ０３までの３曲とで構成されるシナリオデータが入力されている。
【００１８】
次に、上記シナリオデータに基づいて必要となる素材を、映像素材入力部１０１、音響素材入力部１０２、およびメニュー素材入力部１０３にそれぞれ入力する。ここで素材となる映像素材や音響素材データは、ＤＶＤ−Ａｕｄｉｏ規格に適合した属性をもつ汎用的なコンピュータファイルとしてマルチメディアコンテンツデータ作成装置を構成するＰＣのハードディスク１１４に蓄積されるものとする。図２に示すシナリオ入力のためのＧＵＩ１１３においては、Ｔｒａｃｋ０１〜Ｔｒａｃｋ０３の再生時に背景画として表示される映像素材データがＴｒａｃｋ０１．ＴＩＦ〜Ｔｒａｃｋ０３．ＴＩＦとして、同じくＴｒａｃｋ０１〜Ｔｒａｃｋ０３において再生される音響素材データがＴｒａｃｋ０１．ＷＡＶ〜Ｔｒａｃｋ０３．ＷＡＶとして、さらにメニュー画面として表示されるメニュー素材データがＭｅｎｕ．ＴＩＦとしてそれぞれ表示されている。
【００１９】
以上のここまでに入力されたシナリオデータと各種素材データとを用いれば、第１データフォーマット部３００においてＤＶＤ−Ａｕｄｉｏ規格に適合するデータを作成することができ、ＤＶＤ−Ａｕｄｉｏ規格のみに適合したデータを作成する場合、コンテンツ制作者の作業はおよそそこまでとなる。
【００２０】
ただし、ＤＶＤ−Ａｕｄｉｏ規格では、単一のＤＶＤメディアにＤＶＤ−ＡｕｄｉｏおよびＤＶＤ−Ｖｉｄｅｏの２つのデータ領域を持たせることが可能で、そのようなＤＶＤ−Ａｕｄｉｏディスクは、既に広く普及したＤＶＤ−ＶｉｄｅｏプレーヤでもＤＶＤ−Ｖｉｄｅｏ領域のデータが再生可能であるのでディスクとしての付加価値は高い。しかしながら、このＤＶＤ−Ｖｉｄｅｏ領域を持つＤＶＤ−Ａｕｄｉｏディスクを制作する場合においても、上述したような課題が存在する。
【００２１】
そこで、本実施形態では、ＤＶＤ−Ｖｉｄｅｏ領域のデータ作成とＤＶＤ−Ａｕｄｉｏ領域のデータとの統合を自動的に行うことにより、コンテンツ制作者の作業内容がＤＶＤ−Ａｕｄｉｏ規格のみに適合したデータを作成する場合とほぼ同じで、ＤＶＤ−Ｖｉｄｅｏ領域を持つＤＶＤ−Ａｕｄｉｏディスクを制作することを可能とする。
【００２２】
まず、上記の内容のうちＤＶＤ−Ｖｉｄｅｏ領域のデータ作成は、入力データ変換部２００においてＤＶＤ−Ａｕｄｉｏ規格に適合した属性を持つ映像素材、音響素材、およびメニュー素材とシナリオデータとを、必要に応じてＤＶＤ−Ｖｉｄｅｏ規格に適合した仕様に変換することによって行われる。また、入力データ変換部２００における変換処理の仕様は、変換テーブル蓄積部２０５に各種素材の属性毎に記憶されているものとする。
【００２３】
図４は、変換テーブル蓄積部２０５の変換テーブルの中で音響素材の変換仕様の一例を抜き出したものである。図４においては、音響素材変換部２０２に入力される音響素材の属性およびその入力属性に対して、音響素材変換部２０２で変換され出力される音響属性が示されている。
【００２４】
例えば、入力音響素材の仕様が非圧縮のリニアＰＣＭでサンプリング周波数、量子化ビット数、およびチャンネル数が９６ｋＨｚ、２４ｂｉｔ、および２ｃｈであった場合、変換テーブル蓄積部２０５を参照し、テーブル中の変換仕様Ｎｏ．１に従って音響素材変換部２０２においてダウンコンバート処理が実行され、出力音響属性は、４８ｋＨｚ、１６ｂｉｔ、および２ｃｈとなる。また、同じテーブル中の変換仕様Ｎｏ．２にあるように、ＤＶＤ−Ａｕｄｉｏ規格とＤＶＤ−Ｖｉｄｅｏ規格とで同じ属性が許されていれば音響素材変換部２０２において変換処理は実行されない。さらに、変換仕様Ｎｏ．３ではリニアＰＣＭの入力素材をＡＣ３方式で圧縮するとしている。以上に述べたように、音響素材変換部２０２では音響属性の変更のために必要となるダウンコンバート処理や圧縮エンコード処理が行えるものとし、このような変換処理は、図２におけるＰＣのＣＰＵにおいてソフトウエア処理されても良いし、同じくＰＣのＣＰＵの制御によりＤＳＰなどの専用のハードウエアで実行されても良いものとする。
【００２５】
また、図４に示す変換テーブル蓄積部２０５の変換仕様は、予め規定された固定のものであってもよいし、必要に応じてコンテンツ制作者が任意の変換テーブルの修正や追加や選択が行えるものであってもよいものとする。
【００２６】
以上、入力データ変換部２００における音響素材の変換について説明したが、他の映像素材やメニュー素材についても、音響素材の変換と同様な動作に必要に応じてＤＶＤ−Ｖｉｄｅｏ規格に適合した仕様に変換できるものとする。
【００２７】
また同様に、シナリオデータについても、ＤＶＤ−Ａｕｄｉｏ用に入力したシナリオデータからＤＶＤ−Ｖｉｄｅｏ領域用のシナリオデータを自動的に変換して作成するものとし、変換の仕様は素材データと同様に変換テーブル蓄積部２０５に記憶されているものとする。
【００２８】
本実施形態におけるシナリオデータの変換仕様としては、ＤＶＤ−Ａｕｄｉｏ領域のシナリオデータ中にあるＤＶＤ−Ａｕｄｉｏ領域の属性データから上記素材データの変換処理に応じてＤＶＤ−Ｖｉｄｅｏ領域の属性データを作成し、さらにＤＶＤ−Ｖｉｄｅｏ領域データの再生順データをＤＶＤ−Ａｕｄｉｏ領域と同じ曲順であって、かつＤＶＤ−ＡｕｄｉｏプレーヤとＤＶＤ−Ｖｉｄｅｏプレーヤで双方のプレーヤに表示される曲ナンバーが同じになるようにＤＶＤ−Ａｕｄｉｏ領域のシナリオデータ中にあるＤＶＤ−Ａｕｄｉｏ領域の再生順データからＤＶＤ−Ｖｉｄｅｏ領域用の再生順データを作成するものである。
【００２９】
次に、入力データ変換部２００においてＤＶＤ−Ｖｉｄｅｏ規格に適合した属性に変換された各種素材データとシナリオデータとが第２データフォーマット部４００に入力され、ＤＶＤ−Ｖｉｄｅｏ規格に適合するフォーマットのデータが作成される。
【００３０】
また、ＤＶＤ−Ａｕｄｉｏ領域のデータとの統合は、統合データ作成部５００において行われる。第２データフォーマット部４００で作成されたＤＶＤ−Ｖｉｄｅｏ規格に適合するデータは、第１データフォーマット部３００で作成されたＤＶＤ−Ａｕｄｉｏ規格に適合するデータに統合され、単一のＤＶＤ−Ａｕｄｉｏディスクとして記録できる統合データとなる。統合データを作成するための具体的な処理としては、統合されるＤＶＤ−Ｖｉｄｅｏ領域データをＤＶＤ−Ａｕｄｉｏ領域のデータと同じディレクトリ階層にデータ転送し、単一の記録メディアに配置する際のデータのアドレス情報を決定することや、統合後のＤＶＤ−ＡｕｄｉｏディスクのシナリオデータにＤＶＤ−Ｖｉｄｅｏ領域のデータを再生するプログラム情報を追加して統合後の統合データをＤＶＤ−Ａｕｄｉｏ規格に従ったものとすることである。
【００３１】
このような構成によって、２つの規格を有するディスク制作であっても、映像および音響素材やこれらの素材を再生するためのシナリオデータの入力は、ＤＶＤ−Ａｕｄｉｏ規格に適合したもののみ入力し、もう一方のＤＶＤ−Ｖｉｄｅｏ規格に適合するデータフォーマット変換やＤＶＤ−Ａｕｄｉｏ領域とのデータ統合は、内部処理において自動的に変換して作成することにより、オーサリング作業と映像および音響素材の準備とにおいて、単一のＤＶＤ−Ａｕｄｉｏ規格ディスクの制作とほぼ同じ作業内容で制作側に負担をかけることなく２つの規格を有するディスクを簡単に制作することができる。
【産業上の利用可能性】
【００３２】
本発明にかかるマルチメディアコンテンツデータ作成方法および作成装置は、映像、音響素材、およびシナリオデータを、必要に応じて第２の記録フォーマットに適合するように自動変換し、第２の記録フォーマットに対応したデータを第１の記録フォーマットに対応したデータに統合するため、ＤＶＤ−Ｖｉｄｅｏ領域を持つＤＶＤ−Ａｕｄｉｏディスク等を効率的に制作できるシステムとして有用である。
【図面の簡単な説明】
【００３３】
【図１】本発明の一実施形態に係るマルチメディアコンテンツデータ作成装置のブロック図
【図２】本発明の一実施形態に係るマルチメディアコンテンツデータ作成装置を実現する汎用的なＰＣの構成を示す略図
【図３】従来のマルチメディアコンテンツデータ作成装置のブロック図
【図４】本発明の一実施形態に係る変換テーブル蓄積部における音響素材の変換仕様テーブルの一例
【符号の説明】
【００３４】
１０１  映像素材入力部
１０２  音響素材入力部
１０３  メニュー素材入力部
１０４  シナリオデータ入力部
１１０  キーボード
１１１  マウス
１１２  ディスプレイ
１１３  ＧＵＩ
１１４  ハードディスク
２００  入力データ変換部
２０１  映像素材変換部
２０２  音響素材変換部
２０３  メニュー素材変換部
２０４  シナリオデータ変換部
２０５  変換テーブル蓄積部
３００  第１データフォーマット部
４００  第２データフォーマット部
５００  統合データ作成部
６００  ハードディスクドライブ
７００  光ディスクドライブ
８００  ＤＶＤ−ＶＲ方式デコーダ
９００  フォーマット変換部
１０００  マイクロコンピュータ部
【図１】
2005085391.tif 000003
【図２】
2005085391.tif 000004
【図３】
2005085391.tif 000005
【図４】
2005085391.tif 000006